(57)【要約】【課題】装置を小型化して増幅回路の入力部と出力部とがより近接しても、信号漏洩による異常発振を生じることを防止することができるアンテナ装置を提供する。【解決手段】アンテナ装置１は、電波を受信する受信手段７を有するアンテナ素子２と、アンテナ素子２からの入力信号を増幅する増幅回路が形成されアンテナ素子２からの入力部３ｂおよび増幅された信号の出力部３ｃが設けられた回路基板３と、回路基板３上の増幅回路を覆って妨害波を遮蔽し接地されるシールドカバー５とを備え、シールドカバー５内側の回路基板３の入力部３ｂおよび出力部３ｃとの間に、接地され、入力部３ｂおよび出力部３ｃとの間の信号漏洩を遮断する遮断壁８が形成されている。【選択図】図１
2008078721.tif 000002
【特許請求の範囲】
【請求項１】
電波を受信する受信手段を有するアンテナ素子と、
前記アンテナ素子からの入力信号を増幅する増幅回路が形成され、前記アンテナ素子からの入力部および増幅された信号の出力部が設けられた回路基板と、
前記回路基板上の前記増幅回路を覆って妨害波を遮蔽し、接地されるシールドカバーとを備え、
前記シールドカバー内側の前記回路基板の入力部および出力部との間に、接地され、前記入力部および出力部との間の信号漏洩を遮断する遮断壁が形成されていることを特徴とするアンテナ装置。
【請求項２】
前記遮断壁は、前記シールドカバーの内面に形成されていることを特徴とする請求項１に記載のアンテナ装置。
【請求項３】
前記遮断壁は、前記シールドカバーの一部が前記シールドカバーの内側に折り曲げられて形成されていることを特徴とする請求項１または請求項２に記載のアンテナ装置。
【請求項４】
前記遮断壁の回路基板側端部が前記回路基板に半田付けされていることを特徴とする請求項１から請求項３のいずれか一項に記載のアンテナ装置。
【請求項５】
前記遮断壁は、前記入力部または前記出力部の周囲の全部または一部を取り巻くように形成されていることを特徴とする請求項１から請求項４のいずれか一項に記載のアンテナ装置。
【発明の詳細な説明】
【技術分野】
【０００１】
本発明は、アンテナ装置に係り、特に、ＧＰＳ（Global Positioning System）や衛星ラジオ用等の電波を受信するために用いられるアンテナ装置に関する。
【背景技術】
【０００２】
例えば、測位システムとして普及している車載用のＧＰＳシステムのアンテナ装置や、米国で実用化されている車載型或いは家庭等での据え付け型の衛星ラジオ等に用いるアンテナ装置として種々のアンテナ装置が開発されている（例えば特許文献１〜３等参照）。
【０００３】
これらのアンテナ装置では、図５に例示するアンテナ装置１００のように、例えば、電波を受信するパッチ型の受信面１０１を有するアンテナ素子１０２の背面に回路基板１０３が貼付されている。回路基板１０３のアンテナ素子１０２と反対側の面にはアンテナ素子１０２から入力された信号を増幅する図示しない増幅回路が形成されており、その増幅回路が形成された面が、外部からの妨害波を遮蔽する略箱状のシールドカバー１０４で覆われている。なお、図５では受信面１０１が実際よりも厚く表されている。
【０００４】
アンテナ素子１０２と回路基板１０３とには、入力ピン１０５がアンテナ素子１０２や回路基板１０３に垂直に貫挿されており、入力ピン１０５の一端側が半田付けによりアンテナ素子１０２の受信面１０１に電気的に接続されている。また、入力ピン１０５の他端側は回路基板１０３上の増幅回路に半田付けされて電気的に接続されていて入力部１０３ａが形成されている。入力ピン１０５は、アンテナ素子１０２の受信面１０１で受信した電波信号を回路基板１０３の増幅回路に入力させるようになっている。
【０００５】
また、シールドカバー１０４の内側には、同軸ケーブル１０６が挿入されている。同軸ケーブル１０６の芯線１０６ａは回路基板１０３上の増幅回路に半田付けされて電気的に接続され、その接続部分が増幅回路の出力部１０３ｂを構成している。同軸ケーブル１０６はその芯線１０６ａを介して増幅回路に駆動電力を供給するとともに、アンテナ素子１０２で受信され増幅回路で増幅された信号を出力するようになっている。
【０００６】
また、シールドカバー１０４はＧＮＤも兼ねており、シールドカバー１０４の基面１０４ａから同軸ケーブル１０６側に屈曲されて形成された舌片１０４ｂが同軸ケーブル１０６の外部導体１０６ｂに対して半田付けされて電気的に接続されることで、舌片１０４ｂを介してシールドカバー１０４がＧＮＤ電位とされ、シールドカバー１０４を介して増幅回路が接地されるようになっている。
【特許文献１】特開２００５−１１０００７号公報
【特許文献２】特開２００４−７２３２０号公報
【特許文献３】特開２００４−２２８３５７号公報
【発明の開示】
【発明が解決しようとする課題】
【０００７】
このようなアンテナ装置では、近年、装置の小型化が図られている。しかしながら、このように装置が小型化すると、回路基板１０３の増幅回路の入力部１０３ａと出力部１０３ｂとがより近接するようになる。このように回路の入力部１０３ａと出力部１０３ｂとが近接すると、信号入出力のアイソレーションが劣化して入力部１０３ａと出力部１０３ｂとの間で信号漏洩が生じるという問題がある。
【０００８】
信号漏洩は、入力部１０３ａと出力部１０３ｂとの間の空気中や回路基板中で生じる。信号漏洩によりアンテナ素子１０２から入力部１０３ａを介して増幅回路に入力され増幅された信号の一部が出力部１０３ｂから入力部１０３ａに漏洩して回路に正帰還が生じ、最悪の場合、増幅回路内に定在波が発生して特定波長の信号強度が強くなる異常発振現象が発生する。
【０００９】
そのため、装置がより小型化して回路の入力部１０３ａと出力部１０３ｂとの距離が近接すればするほど出力部１０３ｂから入力部１０３ａへの信号漏洩の度合いが増大し、発生する異常発振が異常に強くなるという問題があった。また、信号漏洩はアンテナ素子１０２が受信する電波の波長によってもその特性が変化し、テレビの周波数である数百ＭＨｚでは回路基板中の信号漏洩よりも空気中を伝わる信号漏洩の寄与の方が大きくなることも知られている。
【００１０】
本発明は、このような事情に鑑みてなされたものであり、装置を小型化して増幅回路の入力部と出力部とがより近接しても、信号漏洩による異常発振を生じることを防止することができるアンテナ装置を提供することを目的とする。
【課題を解決するための手段】
【００１１】
前記の問題を解決するために、請求項１に記載のアンテナ装置は、
電波を受信する受信手段を有するアンテナ素子と、
前記アンテナ素子からの入力信号を増幅する増幅回路が形成され、前記アンテナ素子からの入力部および増幅された信号の出力部が設けられた回路基板と、
前記回路基板上の前記増幅回路を覆って妨害波を遮蔽し、接地されるシールドカバーとを備え、
前記シールドカバー内側の前記回路基板の入力部および出力部との間に、接地され、前記入力部および出力部との間の信号漏洩を遮断する遮断壁が形成されていることを特徴とする。
【００１２】
請求項２に記載の発明は、請求項１に記載のアンテナ装置において、前記遮断壁は、前記シールドカバーの内面に形成されていることを特徴とする。
【００１３】
請求項３に記載の発明は、請求項１または請求項２に記載のアンテナ装置において、前記遮断壁は、前記シールドカバーの一部が前記シールドカバーの内側に折り曲げられて形成されていることを特徴とする。
【００１４】
請求項４に記載の発明は、請求項１から請求項３のいずれか一項に記載のアンテナ装置において、前記遮断壁の回路基板側端部が前記回路基板に半田付けされていることを特徴とする。
【００１５】
請求項５に記載の発明は、請求項１から請求項４のいずれか一項に記載のアンテナ装置において、前記遮断壁は、前記入力部または前記出力部の周囲の全部または一部を取り巻くように形成されていることを特徴とする。
【発明の効果】
【００１６】
請求項１に記載の発明によれば、回路基板上の増幅回路の入力部と出力部との間に遮断壁が設けられており接地されているため、出力部から漏洩した信号のうち少なくともシールドカバー内部の空気中を伝わって漏洩する信号を遮断壁が遮断して吸収する。そのため、空気中を伝達する漏洩信号は入力部には還流せず或いは入力部への還流が阻害される。
【００１７】
このように、回路の出力部から入力部への正帰還が阻止または阻害されて回路内での定在波の発生が阻止または低減され、信号漏洩による異常発振が生じることが防止されまたは実用上問題がない程度まで抑制される。そのため、アンテナ装置の小型化が図られて増幅回路の入力部と出力部とが近接する状態となっても、信号入出力のアイソレーションが劣化することを防止することができ、信号漏洩による異常発振の発生を事実上防止することが可能となる。
【００１８】
請求項２に記載の発明によれば、前記請求項１に記載の発明の効果に加え、シールドカバーの製造時にその内面に遮断壁を形成することで、遮断壁を容易かつ確実に形成することが可能となる。
【００１９】
請求項３に記載の発明によれば、シールドカバーの一部をシールドカバーの内側に折り曲げて遮断壁を形成することで、遮断壁を容易かつ的確に形成することが可能となるとともに、遮断壁を形成するためにシールドカバーに形成された穴を介して入力部における入力ピンと増幅回路の配線との半田付け部分を視認することが可能となる。そのため、前記各請求項に記載の発明の効果に加え、アンテナ装置の製造作業者やユーザが容易に入力部の半田付けの有無や良不良を確認することが可能となる。
【００２０】
請求項４に記載の発明によれば、遮断壁の回路基板側端部を回路基板に半田付けすることで、遮断壁によるシールドカバー内部の空間の遮蔽度が高くなり、空気中を伝達する漏洩信号の入力部への還流の阻害効果をより大きくすることが可能となる。また、回路基板内部を伝わって漏洩する信号が入力部に向かう途中で半田付け部を介して遮断壁に吸収されるようになるから、基板中を伝達する漏洩信号についても入力部には還流せず或いは入力部への還流が阻害されるようにすることができる。そのため、前記各請求項に記載の発明の効果がより効果的に発揮されるとともに、遮断壁の半田付けにより、シールドカバー自体の構造強度が向上される。
【００２１】
請求項５に記載の発明によれば、入力部や出力部の周囲の全部または一部を取り巻くように遮断壁を形成することで、シールドカバー内部の空気中を伝わって漏洩する信号や回路基板内部を伝わって漏洩する信号をより確実に遮断することが可能となり、前記各請求項に記載の発明の効果をより効果的に発揮させることが可能となる。
【発明を実施するための最良の形態】
【００２２】
以下、本発明に係るアンテナ装置の実施の形態について、図面を参照して説明する。
【００２３】
本実施形態に係るアンテナ装置１は、図１（Ａ）、（Ｂ）および図２に示すように、アンテナ素子２、回路基板３、入力ピン４、シールドカバー５および同軸ケーブル６等を備えている。なお、図２では、アンテナ装置１が天地逆転された状態で示されており、また、後述するボトムカバー９の図示が省略されている。
【００２４】
アンテナ素子２は、本実施形態ではセラミック製でやや肉厚の板状に形成されている。アンテナ素子２の一方側の面には、電波を受信する受信手段としてパッチ型の受信面７が貼付されている。なお、図１（Ａ）や図（Ｂ）では、受信面７が実際よりも厚く表されている。また、アンテナ素子２の受信面７と反対側の面には、図示しない金属薄膜状のＧＮＤパターンが入力ピン４およびその周囲の部分を除くほぼ全面に貼付されている。
【００２５】
アンテナ素子２の受信面７と反対の面側には、回路基板３が設けられている。回路基板３のアンテナ素子２側の面には、アンテナ素子２のＧＮＤパターンとは別体の図示しない金属薄膜状のＧＮＤパターンが入力ピン４およびその周囲の部分を除くほぼ全面に貼付されている。
【００２６】
本実施形態では、この回路基板３のＧＮＤパターンとアンテナ素子２のＧＮＤパターンとが例えば両面テープ等の接着部材で貼付されることでアンテナ素子２と回路基板３とが接着されるようになっている。また、アンテナ素子２自体のＧＮＤパターンとともに、回路基板３のＧＮＤパターンもアンテナ素子２のＧＮＤパターンとして機能するようになっている。
【００２７】
回路基板３のアンテナ素子２と反対側の面すなわち回路面３ａには、アンテナ素子２からの入力を増幅して出力する図示しない回路が形成されている。回路基板３には、適宜の位置に図示しない複数のスルーホールが形成されており、これらのスルーホールを介して回路面３ａ上の回路のＧＮＤと裏面のＧＮＤパターンとが接続されるようになっている。
【００２８】
アンテナ素子２と回路基板３の所定の位置には、入力ピン４がアンテナ素子２の受信面７や回路基板３の回路面３ａに垂直に貫挿されている。本実施形態では、入力ピン４の一端側が半田付けによりアンテナ素子２の受信面７に電気的に接続されている。
【００２９】
また、入力ピン４の他端側は回路基板３上の増幅回路に半田付けされて電気的に接続されており、その接続部分が回路の入力部３ｂとされている。入力ピン４は、アンテナ素子２の受信面７で受信した電波信号をこの入力部３ｂを介して回路基板３の増幅回路に入力させるようになっている。
【００３０】
回路基板３の回路面３ａ側には、略箱状に形成された金属製のシールドカバー５が回路面３ａを覆うように取り付けられており、シールドカバー５は、回路面３ａに到達する外部からの妨害波を遮蔽するようになっている。また、略箱状のシールドカバー５の基面５ａはアンテナ素子２の受信面７や回路基板３の回路面３ａに平行に配置されるようになっている。
【００３１】
図１（Ａ）、（Ｂ）の断面図に示されているように、シールドカバー５は、その一部が突起状に形成されて回路基板３に貫通されることで、回路基板３に対して位置決めされるようになっている。また、図２に示すように、本実施形態では、シールドカバー５は回路基板３の回路面３ａ上で半田付けにより回路のＧＮＤと電気的に接続されるようになっている。
【００３２】
シールドカバー５の内側には、同軸ケーブル６が挿入されている。同軸ケーブル６の芯線６ａは回路基板３上の増幅回路に半田付けされて電気的に接続されており、その接続部分が回路の出力部３ｃとされている。同軸ケーブル６は、芯線６ａを介して増幅回路に駆動電力を供給するとともに、アンテナ素子２で受信され増幅回路で増幅されてこの出力部３ｃを介して出力された信号を下流側に出力するようになっている。
【００３３】
シールドカバー５には、その基面５ａから同軸ケーブル６側に屈曲されて舌片５ｂが形成されており、舌片５ｂが同軸ケーブル６の外部導体６ｂに半田付けされて電気的に接続されている。
【００３４】
また、シールドカバー５の基面５ａの内面には、平板状の遮断壁８が形成されており、遮断壁８が回路基板３上の増幅回路の入力部３ｂと出力部３ｃとの間に配置されるように、すなわち仮に入力部３ｂと出力部３ｃとを結ぶ直線を想定した場合にその直線を遮る状態に配置されるようになっている。
【００３５】
遮断壁８は、本実施形態では、図１（Ａ）に示すように、その先端部と回路基板３の回路面３ａとの間に隙間を有しているが、図１（Ｂ）に示すように先端部を回路基板３まで延長して回路面３ａに当接させても良く、また、図示しないが、遮断壁８の先端部を回路基板３に半田付けしても良い。
【００３６】
本実施形態では、遮断壁８は、図２に示すように、シールドカバー５の基面５ａの入力部３ｂと対向する部分がコ字状に切断され、その部分がシールドカバー５の内側に折り曲げられることで形成されている。
【００３７】
シールドカバー５の基面５ａの外側には、金属製の略平板状のボトムカバー９が基面５ａと面接触するように設けられており、ボトムカバー９は、シールドカバー５の基面５ａと面接触して遮断壁８の形成により開口した基面５ａの穴５ｃを外側から塞ぐようになっている。
【００３８】
なお、同軸ケーブルの外部導体６ｂにはＧＮＤ電位が供給されるようになっており、前述した外部導体６ｂとシールドカバー５の舌片５ｂとの接続により同軸ケーブル６の外部導体６ｂから舌片５ｂおよびシールドカバー５を介して遮断壁８が接地され、回路基板３の増幅回路やアンテナ素子２にＧＮＤ電位が供給されるようになっている。
【００３９】
また、本実施形態では、前述したように金属製のボトムカバー９がシールドカバー５の基面５ａと面接触することで、シールドカバー５を介して遮断壁８や増幅回路、アンテナ素子２の接地効率のさらなる向上が図られるようになっている。
【００４０】
次に、本実施形態に係るアンテナ装置１の作用について説明する。
【００４１】
アンテナ装置１の回路基板３上の増幅回路には、同軸ケーブル６の芯線６ａから出力部３ｃを介して駆動電力が供給される。また、アンテナ素子２の受信面７がＧＰＳ用や衛星ラジオ用の高周波の電波を受信すると、入力部３ｂを介してその電波信号が増幅回路に送信され、増幅回路で増幅された電波信号が出力部３ｃから同軸ケーブル６の芯線６ａを通じて出力される。
【００４２】
回路基板３の増幅回路は、それを覆う金属製のシールドカバー５により外部からの妨害波から遮蔽される。また、増幅回路は、前述したようにそのＧＮＤがシールドカバー５に接続され、同軸ケーブル６の外部導体６ｂからシールドカバー５にＧＮＤ電位が供給されることにより接地される。このＧＮＤ電位は回路基板３のスルーホールを介して回路基板３のＧＮＤパターンにも供給され、回路基板３のＧＮＤパターンが接地されてアンテナ素子２にＧＮＤレベルが提供される。
【００４３】
また、本実施形態では、アンテナ装置１の底部に設けられた金属製のボトムカバー９とシールドカバー５の基面５ａとが面接触することでシールドカバー５の接地効率が向上され、増幅回路の接地効率がより向上される。
【００４４】
一方、前述したように、本実施形態に係るアンテナ装置１のように増幅回路の入力部３ｂと出力部３ｃとが近接すると、信号の一部が出力部３ｃから入力部３ｂに漏洩する信号漏洩が発生し、増幅回路内に定在波が発生して異常発振現象を生じる。
【００４５】
しかし、本実施形態では、回路の入力部３ｂと出力部３ｃとの間に遮断壁８が設けられており接地されているため、出力部３ｃから信号の一部が漏洩しても、漏洩した信号のうちシールドカバー５内部の空気中を漏洩する信号が入力部３ｂに向かう途中で遮断壁８に吸収され、シールドカバー５を介して同軸ケーブル６の外部導体６ｂやボトムカバー９に流れていく。そのため、少なくとも空気中を伝達する漏洩信号については入力部３ｂには還流せず或いは入力部３ｂへの還流が阻害される。
【００４６】
また、図１（Ａ）に示したように、遮断壁８の先端部と回路基板３との間に隙間を有していても十分に漏洩信号の遮断効果が得られるが、信号漏洩の遮断効果は、遮断壁８によるシールドカバー５内部の空間の遮蔽度が高まるほど大きくなる。そのため、図１（Ｂ）に示したように遮断壁８の先端部と回路基板３とが当接されていたり遮断壁８の先端部が回路基板３に半田付けされていれば、空気中を伝達する漏洩信号については入力部３ｂへの還流の阻害の度合いが大きくなる。
【００４７】
さらに、遮断壁８が回路基板３に半田付けされることで、回路基板３内部を伝わって漏洩する信号が入力部３ｂに向かう途中で半田付け部を介して遮断壁８に吸収されるようになるから、基板中を伝達する漏洩信号についても入力部３ｂには還流せず或いは入力部３ｂへの還流が阻害されるようにすることができる。
【００４８】
以上のように、本実施形態に係るアンテナ装置１によれば、回路基板３上の増幅回路の入力部３ｂと出力部３ｃとの間に遮断壁８が設けられており接地されているため、出力部３ｃから漏洩した信号のうちシールドカバー５内部の空気中を伝わって漏洩する信号を遮断壁８が遮断して吸収する、そのため、少なくとも空気中を伝達する漏洩信号については入力部３ｂには還流せず或いは入力部３ｂへの還流が阻害される。
【００４９】
このように、回路の入力部３ｂへの正帰還が阻止または阻害されて回路内での定在波の発生が阻止または低減され、信号漏洩による異常発振が生じることが防止されまたは実用上問題がない程度まで抑制される。そのため、アンテナ装置の小型化が図られて増幅回路の入力部３ｂと出力部３ｃとが近接する状態となっても、信号入出力のアイソレーションが劣化することを防止することができ、信号漏洩による異常発振の発生を事実上防止することが可能となる。
【００５０】
また、本実施形態のように遮断壁８の先端部が回路基板３に半田付けされていれば、遮断壁８によるシールドカバー５内部の空間の遮蔽度が高くなり、空気中を伝達する漏洩信号の入力部３ｂへの還流の阻害効果をより大きくすることが可能となる。
【００５１】
さらに、回路基板３内部を伝わって漏洩する信号が入力部３ｂに向かう途中で半田付け部を介して遮断壁８に吸収されるようになるから、基板中を伝達する漏洩信号についても入力部３ｂには還流せず或いは入力部３ｂへの還流が阻害されるようにすることができる。なお、遮断壁８の先端部が回路基板３に半田付けされることで、シールドカバー５の構造強度が向上されるという効果もある。
【００５２】
一方、本実施形態のように、例えばシールドカバー５の基面５ａの入力部３ｂと対向する部分をコ字状に切断し、その部分をシールドカバー５の内側に折り曲げて遮断壁８を形成することで、遮断壁８を容易かつ的確に設けることが可能となる。また、その際、シールドカバー５の入力部３ｂと対向する部分に穴５ｃが開口されるが、この穴５ｃを介して入力部３ｂにおける入力ピン４と増幅回路の配線との半田付け部分を視認することが可能となり、アンテナ装置１の製造作業者やユーザが容易に入力部３ｂの半田付けの有無や良不良を確認することが可能となる。
【００５３】
また、この穴５ｃの開口によりシールドカバー５の妨害波の遮蔽効率が低下する場合があるが、本実施形態のようにシールドカバー５の外側から金属製のボトムカバー９でこの穴５ｃを塞ぐことで妨害波の遮蔽効率は十分に維持される。
【００５４】
なお、金属製のボトムカバー９で穴５ｃを塞ぐ代わりに、この穴５ｃをシールドカバー５に着脱可能な銅テープのような金属テープで塞いだり或いは例えば樹脂製のボトムカバー９の穴５ｃに対応する部分に金属テープを貼付するなどしても同様に妨害波の遮蔽効率を維持することができる。
【００５５】
また、図２のアンテナ装置１を真上から見た場合、本実施形態では、図３（Ａ）の模式図に示すように遮断壁８が回路の入力部３ｂと出力部３ｃとの間に平板状に配置される場合について説明したが、このほかにも例えば図３（Ｂ）に示すように入力部３ｂの一部周囲を取り巻くように遮断壁８を形成することも可能であり、また、図３（Ｃ）に示すように入力部３ｂの全周を取り巻くように形成することも可能である。
【００５６】
遮断壁８を、回路の入力部３ｂの周囲の全部または一部を取り巻く代わりに、或いは入力部３ｂの取り巻きとあわせて、出力部３ｃ側の周囲の全部または一部を取り巻くように形成することも可能である。
【００５７】
このように、遮断壁８で回路の入力部３ｂや出力部３ｃの周囲の全部または一部を取り巻くことで、シールドカバー５内部の空気中を伝わって漏洩する信号や回路基板３内部を伝わって漏洩する信号をより確実に遮断することが可能となり、入力部３ｂへの信号の漏洩をより的確に阻止または阻害することが可能となる。
【００５８】
例えば、本実施形態のようにシールドカバー５の一部を内側に折り曲げて遮断壁８を形成する場合には、図４に示すように、折り曲げて形成した遮断壁８の両端部を入力部３ｂ側や出力部３ｃ側に折り曲げることで図３（Ｂ）、（Ｃ）に示したような入力部３ｂや出力部３ｃの周囲の全部または一部を取り巻く遮断壁８を形成することができる。
【００５９】
なお、図３や図４では、入力部３ｂや出力部３ｃを取り巻く遮断壁８の各面を平面状に形成する場合について述べたが、各面が曲面状になるように遮断壁８を形成することも可能であり、遮断壁８を断面円形や断面楕円形等の筒状あるいはその一部分の形状に形成することも可能である。
【００６０】
また、遮断壁８を、シールドカバー５の一部を内側に折り曲げて形成する代わりに、シールドカバー５の内面の適切な位置に平板状や筒状等に形成された金属片を溶着等で取り付けるようにして遮断壁８を設けることも可能である。また、逆に、遮断壁８を例えば回路基板３のスルーホールを介してアンテナ素子２のＧＮＤパターンに接続して接地した状態で回路基板３側からシールドカバー５側に突き出すように設けることも可能である。
【００６１】
さらに、本実施形態では、アンテナ素子２の表面にＧＰＳ用や衛星ラジオ用の高周波の電波を受信するパッチ型の受信面７を備えたアンテナ装置１について述べたが、アンテナ素子の構成はパッチ型の受信面を備えた構成に限定されない。
【図面の簡単な説明】
【００６２】
【図１】本実施形態に係るアンテナ装置の構成を示す概略断面図であり、（Ａ）は遮断壁の先端部と回路基板との間に隙間がある場合、（Ｂ）は遮断壁の先端部と回路基板とが当接している場合を示す。
【図２】図１のアンテナ装置を天地逆転した状態のシールドカバーや遮断壁等を表す斜視図である。
【図３】遮断壁の形状を示す模式図であり、（Ａ）は本実施形態の場合、（Ｂ）は入力部の一部周囲を、（Ｃ）は入力部の全周を取り巻くように形成した場合を示す。
【図４】両端部がさらに折り曲げられた遮断壁を示す概略斜視図である。
【図５】従来のアンテナ装置の構成を示す概略断面図である。
【符号の説明】
【００６３】
１    アンテナ装置
２    アンテナ素子
３    回路基板
３ｂ  入力部
３ｃ  出力部
５    シールドカバー
７    受信面（受信手段）
８    遮断壁
【図１】
2008078721.tif 000003
【図２】
2008078721.tif 000004
【図３】
2008078721.tif 000005
【図４】
2008078721.tif 000006
【図５】
2008078721.tif 000007